(57)【要約】      （修正有）【課題】事業用車輌での飲酒運転、及びスピードの出し過ぎを防止する装置の提供。【解決手段】電子式及び化学反応式色センサーにより運転者の飲酒または体内アルコール残量が有りと判定されると走行不能又は走行中であっても警告を発しながら段階的に退避及び停止させることが出来る。又、予め最高速度を設定する事によりスピート出し過ぎも出来無くなる。本装置を取付ける事で重大交通事故が防止できる。【選択図】図１
2005206128.tif 000002
【特許請求の範囲】
【請求項１】
本装置を取り付けた車輌は電源を入れエンジンを駆けると吸気用電子式アルコールセンサー装置が作動し室内のアルコール反応有無を確認する反応が有ると運転者本人に音声と表示で呼気マウスに強く息を吹きかけるよう指示を出す
【請求項２】
呼気マウスから吹きかけた息によりアルコール反応で化学変化を起こす物質が変色すると色識別センサーが色濃度を読み取り飲酒反応有りと判断される事により燃料電子制御装置に信号を送り燃料供給が最小となり走行不能となる
【請求項３】
呼気を吹きかけなかったり吸気部を塞ぐなど故意の妨害はフローセンサースイッチの働きによりアルコール反応時と同様燃料供給が最小となり走行不能となる
【請求項４】
運転中のアルコール反応検出時はハザードランプを点灯させ運転者に音声と表示で徐行退避処置及び停止を促し従わなかった場合でも警告とともに段階的に時間プログラムにより強制的に徐行退避停止させる
【請求項５】
本装置には車速が時速５０ｋｍ以上で２０分以上走行の場合高速道路上走行と認識させる
【請求項６】
高速道路走行中アルコール反応が検出された場合音声と表示で警告を発しハザードランプを点滅させると共に退避処置を取るよう警告を発しながら段階的に時間プログラムにより高速道路最低速度時速５０ｋｍ以下にならない様に速度制限を行なう
【請求項７】
高速道路サービスエリア又は料金所で一旦停止した後は走行速度時速１０ｋｍ以下とし３分程度退避時間走行としその後走行不能とする
【請求項８】
本装置は電子式アルコールセンサーで反応有りを検出すると直ちにアルコールで化学反応変色する物質に呼気を吹きかけその色を色識別センサーで読み取る事により走行可否を判断する
【請求項９】
運転開始前走行不可の判定の際は車輌の燃料電子制御装置信号入力端子に外部から信号を送り燃料を絞り走行不能とする
【請求項１０】
走行中アルコール反応が確認されると実車速を反映させたミッションからスピードメーターへの信号を受けその信号を燃料電子制御装置信号入力端子に外部から送り燃料供給を制御する事により所定の速度に減速又は停止させるシステムである
【請求項１１】
本装置を取り付けた車輌総重量８ｔ以上の大型車は最高速度時速９０ｋｍに速度限定する様予め燃料電子制御装置信号端子に設定し外部から実車速を反映させた信号数を受け所定の信号数と所定の速度に達すると燃料を制御し最高速度を維持させる
【発明の詳細な説明】
【発明の詳細な説明】
【０００１】本発明は、飲酒運転による重大人身事故防止及びスピードの出し過ぎを防止する事が出来るシステムである
【０００２】アルコール検出の素子は数社で（電子式アルコールセンサー）提供されておるが臭気成分に反応するなど不確定な要素が有り厳密にアルコールのみを検出する素子にはなっていない
【０００３】本装置は▲１▼電子式アルコールセンサーを使用する事を予備的な検出手段として本検出装置▲２▼色識別センサーで化学変化物質の色濃度を感知させる前段階として設定する▲１▼▲２▼センサーの反応が確認されると燃料電子制御装置に作用し走行不可又は走行制限が実行される
【０００４】フェイルセーフ  本装置は直接車輌の安全走行にかかわる装置であることから装置の故意および異常状態に対する配慮および対策は万全を期する▲１▼電源投入時自己診断機能を持つ▲２▼装置に異常発生時には安全側へ装置切り替えが行なえること▲３▼装置に異常発生時には安全側へ回復動作がおこなえること▲４▼故意による異常発生状態に対する防御策を講ずること
【産業上の利用分野】
【０００５】近年特に事業用トラック  バスによる飲酒運転又はスピード出し過ぎによる重大人身事故が頻発し大きな社会問題となっています出庫の点呼時または朝礼時には個々の飲酒状態無しの確認は取れても出庫の後は管理のしようがないのが現状である  遠距離走行運転は途中で仮眠する際の飲酒  高速道路走行中の飲酒もあるのが現状である本装置は飲酒運転防止およびスピード出し過ぎを防止する事で事故を未然に防ぎ事業用トラックバスを運営する会社が大いに利用できる装置である
【背景技術】
【０００６】現状ではアルコール検出装置は簡易型から本格的な電子式センサーまで各種市販されており事業用車輌を管理する企業においては  それらを用いて乗務前の呼吸器検査で飲酒の有無を点検する事およびタコメーターで運転状況スピードの出し過ぎを事後管理することで事故を防ぐ対策としておるのが現状である
【発明が解決しようとする課題】
【０００７】飲酒による無謀運転およびスピード出し過ぎが原因の重大交通事故の多発が社会問題化しており事業用トラック  バスでの営業を目的とする大多数の業者が対応に苦慮しております現在運転者の管理体制の充実車輌の装置的な工夫など若干の対策が検討されておりますが現状では決定的な対応策は紹介されておりません飲酒運転防止およびスピード出し過ぎを防止する一体化した装置の開発が急務である
【課題を解決するための手段】
【０００８】本発明は体内アルコール残量が多い又は飲酒が有った際電子式アルコールセンサーと選り精度の高いアルコール化学変化変色物質を採用する色検出方法により飲酒の有無を判断し走行不能または強制的速度制限を行なうことにより退避および停止させることが出来る  本装置を付けることにより飲酒による無謀運転又は最高速度時速９０ｋｍに設定することにより高速道路でのスピード出し過ぎを防止できるようになり重大人身事故を未然に防ぐ効果が期待できる
【実施例】
【０００９】本装置は運転室内の空気のアルコール反応を常時センサーを用いて検出し、これにより疑わしいデータを得た場合には運転者自身の呼気のみを呼気マウスに吹きかける様指示しアルコールによる化学変化変色をおこす物質を利用する精度の高い検出装置に通過させて確実な検査を行なう。飲酒反応が出た際は運転制御、すなわち走行不可
又走行中はハザードランプを点滅させ速度制限、車輌停止を運転者に指示し従わない場合は警告を発しながら時間プログラムにより段階的に燃料制御を行い強制的な退避処置を実行する。
本装置取り付け車はスピード出し過ぎ防止対策としてに予め最高速度設定を実施する。
【発明の効果】
【００１０】本発明は新規性においては全く類似製品は無く、又社会性においても無謀な飲酒運転による重大人身事故を未然に防ぐ効果があるとともに、過度なスピード出し過ぎによる重大事故を防ぐ事が出来る。社会に貢献できる製品として大いに期待できる。
【発明を実施するための最良の形態】
【００１１】本発明は、その特殊性から公的機関との協同開発が望まれる  又交通の安全性との関係が深くなるため車輌の制御機構と連結して作動させる技術的問題から製造メーカー別の車輌への適応方法  製造メーカーとの折衝及び運転者意思に沿わない車輌走行制御を強制するという安全上の問題から車輌構造に関しては国土交通省自動車交通局安全部技術企画課  道路交通法の問題から警察庁などと問題点の有無について協議する関係機関との密接な意見交換及び指導を受ける事  協同開発  技術協力  協同事業化が最良となる
【図面の簡単な説明】
【００１２】
【図１】装置立面図である
【図２】運転室内取付け図である
【図３】運転室内吸気及び呼気の流路図である
【符号の説明】
【００１３】  １  表示モニター画面
２  スピーカー
３  吸気ファン
４  室内空気吸入口
５  操作ボタン
６  呼気マウス
７  吸入室内空気検出器
８  試験紙、容器カートリッヂ
９  試験紙繰出しユニット
１０  薬液噴霧ノズル
１１  色識別センサー
１２  薬液噴霧室
１３  色検出室
１４  カメラ
１５  電子式アルコールセンサー基板回路
１６  色識別センサー、回路基板
１７  速度制御時間プログラム
１８  全体制御回路基板回路およびインターフェイス
１９  フローセンサー
【図１】
2005206128.tif 000003
【図２】
2005206128.tif 000004
【手続補正書】
【提出日】平成16年4月2日(2004.4.2)
【手続補正１】
【補正対象書類名】明細書
【補正対象項目名】００１２
【補正方法】変更
【補正の内容】
【００１２】
【図１】装置立面図である
【図２】運転席内取付け図である
【手続補正２】
【補正対象書類名】明細書
【補正対象項目名】００１３
【補正方法】変更
【補正の内容】
【００１３】  １  表示モニター画面
２  スピーカー
３  吸気ファン
４  室内空気吸入口
５  操作ボタン
６  呼気マウス
７  吸入室内アルコール検出器
８  試験紙、容器カートリッヂ
９  試験紙繰出しユニット
１０  薬液噴霧ノズル
１１  色識別センサー
１２  薬液噴霧室
１３  色検出室
１４  カメラ
１５  電子式アルコールセンサー基板回路
１６  色識別センサー、基板回路
１７  速度制御時間プログラム
１８  全体制御回路基板およびインターフェイス
１９  フローセンサー